(57)【特許請求の範囲】
【請求項１】
予め住宅の壁面に設けた空気調和機用取付窓の外側に備える屋根付きの載置台に、室外機を取り付けるための空気調和機の取付装置であって、前記載置台の後部にアンカーボルトを、前部にアンカーナットをそれぞれ埋め込み、前記アンカーボルトを挿通する挿通孔を備える下部水平板の一側を垂直に折曲して垂直板を形成し、同垂直板の両側端を前方コ字状に折曲してガイド板を形成すると共に、同垂直板の上側を水平に折曲して上部水平板を形成してなる略Ｚ字状の背面取付金具と、前記アンカーナットに螺合するボルトを挿通する第１のボルト挿通孔を備える水平板の一側を垂直に折曲して垂直板を形成し、同垂直板に前記室外機を固定する第２のボルト挿通孔を設けたＬ字状の前面取付金具とを設ける一方、室外機のベース後部に前記背面取付金具の上部水平板に係止する切欠部を、前部に前記前面取付金具の第２のボルト挿通孔に対応するネジ孔を設けてなり、前記アンカーボルトに背面取付金具をナットで固定し、前記空気調和機用取付窓から室外機を前記ガイド板に沿って挿入して載置台に載置し、前記上部水平板が前記切欠部に嵌合されるようにし、同室外機の前面に前面取付金具を固定し、同前面取付金具をアンカーナットにボルトを螺着して固定することにより、室外機を固定するようにしたことを特徴とする空気調和機の取付装置。
【請求項２】
前記背面取付金具の各ガイド板の先端に外方に折曲する折曲部を設けたことを特徴とする請求項１記載の空気調和機の取付装置。
【請求項３】
前記背面取付金具の垂直板の両側にドレン水を排水する排水口を設けたことを特徴とする請求項１記載の空気調和機の取付装置。
【請求項４】
前記背面取付金具の上部水平板の両側端に、先端に狭い傾斜部を設けたことを特徴とする請求項１記載の空気調和機の取付装置。
【請求項５】
前記ネジ孔を、前方に突設した排水受皿の両側に設ける一方、前記前面取付金具の垂直板に、前記排水受皿に対応する切欠部を設けたことを特徴とする請求項１記載の空気調和機の取付装置。
【請求項６】
前記第１のボルト挿通孔を長孔としたことを特徴とする請求項１記載の空気調和機の取付装置。
【請求項７】
前記前面取付金具を、前記ベースを延出してベースと一体に形成したことを特徴とする請求項１記載の空気調和機の取付装置。
【発明の詳細な説明】
【０００１】
【発明の属する技術分野】
本発明は、予め住宅の壁面に設けた空気調和機用取付窓の外側に備える屋根付きの載置台に、室外機を取り付けるための空気調和機の取付装置に係わり、とくに取付を容易にしたものに関する。
【０００２】
【従来の技術】
従来、図１に示すように、予め住宅の壁面に設けた空気調和機用取付窓５０の外側に備える屋根５１付きの載置台５２に、排水受皿２２を前方に突設した室外機２０を取り付けるための空気調和機の取付装置は、図４に示すように、上部水平板３１ａと下部水平板３１ｂの一側を垂直板３１ｃで接続して略Ｚ字状に形成し、平行に配置した２本の脚部３１、３１と、同両脚部３１、３１の両端部に直交して配置し、同両脚部３１、３１間を連結する２本の連結部３２、３２とでなる取付金具３０を設け、そして、前記脚部３１の下部水平板３１ｂには前記載置台５２に設けたアンカーボルト５２ａまたは、アンカーナット５２ｂに螺着するボルト６２を挿通する取付孔３１ｂ１を備え、上部水平板３１ａには室外機２０のベース２１に備える挿通孔２１ａに対応する室外機取付用ネジ孔３１ａ１を設けて構成していた。
そして、室外機２０を前記載置台５２に取り付けるには、まず、前記取付金具３０を組み立てた後、この取付金具３０を載置台５２に埋め込まれたアンカーボルト５２ａおよび、アンカーナット５２ｂに、ナット６１またはボルト６２を螺着して固定する。
つぎに、この取付金具３０に室外機２０を載置し、ボルト４０を挿通孔２１ａから室外機取付用ネジ孔３１ａ１に螺着して室外機２０を取付金具３０に固定するようにしていた。
しかし、この構成では、取付金具の部品点数が多くコスト高であるばかりか、室外機２０を取り付ける際、ベース２１の後部（外側）に備える挿通孔２１ａと、室外機取付用ネジ孔３１ａ１とが一致するように室外機２０を載置しなければならず、位置あわせが大変であり、また、ベース２１の後部（外側）に備える挿通孔２１ａから室外機取付用ネジ孔３１ａ１にボルト４０を螺着するため、体を載置台の外側に乗りださなければならず、危険であるばかりか、窓の幅を広くとらなければならなかった。
【０００３】
【発明が解決しようとする課題】
本発明は以上述べた問題点を解決し、部品点数を削減してコストを低減するとともに、室外機の載置台への位置合わせが簡単で、しかも載置台の外に身を乗り出す必要がなく、窓の幅を狭くでき、安全に作業のできる空気調和機の取付装置を提供することを目的としている。
【０００４】
【課題を解決するための手段】
本発明は上述の課題を解決するため、予め住宅の壁面に設けた空気調和機用取付窓の外側に備える屋根付きの載置台に、室外機を取り付けるための空気調和機の取付装置であって、前記載置台の後部にアンカーボルトを、前部にアンカーナットをそれぞれ埋め込み、前記アンカーボルトを挿通する挿通孔を備える下部水平板の一側を垂直に折曲して垂直板を形成し、同垂直板の両側端を前方コ字状に折曲してガイド板を形成すると共に、同垂直板の上側を水平に折曲して上部水平板を形成してなる略Ｚ字状の背面取付金具と、前記アンカーナットに螺合するボルトを挿通する第１のボルト挿通孔を備える水平板の一側を垂直に折曲して垂直板を形成し、同垂直板に前記室外機を固定する第２のボルト挿通孔を設けたＬ字状の前面取付金具とを設ける一方、室外機のベース後部に前記背面取付金具の上部水平板に係止する切欠部を、前部に前記前面取付金具の第２のボルト挿通孔に対応するネジ孔を設けてなり、前記アンカーボルトに背面取付金具をナットで固定し、前記空気調和機用取付窓から室外機を前記ガイド板に沿って挿入して載置台に載置し、前記上部水平板が前記切欠部に嵌合されるようにし、同室外機の前面に前面取付金具を固定し、同前面取付金具をアンカーナットにボルトを螺着して固定することにより、室外機を固定する空気調和機の取付装置とした。
【０００５】
前記背面取付金具の各ガイド板の先端に外方に折曲する折曲部を設けた。
【０００６】
前記背面取付金具の垂直板の両側にドレン水を排水する排水口を設けた。
【０００７】
前記背面取付金具の上部水平板の両側端に、先端に狭い傾斜部を設けた。
【０００８】
前記ネジ孔を、前方に突出する排水受皿の両側に設ける一方、前記前面取付金具の垂直板に、前記排水受皿に対応する切欠部を設けた。
【０００９】
前記第１のボルト挿通孔を長孔とした。
【００１０】
前記前面取付金具を、前記ベースを延出してベースと一体に形成した。
【００１１】
【発明の実施の形態】
以上のように構成したので、本発明の空気調和機の取付装置においては、まず、載置台の後部に埋め込まれたアンカーボルトに、略Ｚ字状の背面取付金具をナットで固定し、空気調和機用取付窓から室外機を挿入することにより、同室外機が前記背面取付金具のガイド板に誘導され、前記背面取付金具の上部水平板が室外機のベースの後部に形成される切欠部に嵌合されて位置決めされ、室外機の前面ベースの前部に前面取付金具をボルトで固定し、同前面取付金具を、載置台の前部に埋め込まれたアンカーナットにボルトを螺合して固定することにより、室外機が載置台に固定されるので、後方から手前に向かって順次作業を進めることができ、容易に、確実に、また安全に室外機を載置台に固定することができる。
【００１２】
【実施例】
以下、図面に基づいて本発明による空気調和機の取付装置を詳細に説明する。
図２は本発明による空気調和機の取付装置の一実施例を示す側断面図、図３は同要部拡大斜視図である。
図において、図１、図４と同一機能に同一記号を使用しており、従来の技術の項で説明したので、説明を省略する。
１は略Ｚ字状に形成した背面取付金具で、下部水平板１ａと、ドレン排水用排水口１ｂ１を有する垂直板１ｂと、同垂直板１ｂの両端に形成し、室外機２０を誘導するガイド板１ｄと、上部水平板１ｃとで構成している。
この下部水平板１ａには、前記アンカーボルト５２ａを挿通する挿通孔１ａ１を備えている。
また、図３−（Ａ）に示すように、前記ガイド板１ｄの先端には外方に折曲した折曲部１ｄ１を設けて室外機２０が載置台の所定位置に挿入され易くしている。
また、図３−（Ａ）に示すように、上部水平板１ｃの両側端に、先端に狭い傾斜部１ｃ１を設けており、水平板１ｃを室外機のベース２１後部に形成した切欠部２１ｂに嵌合し易くしている。
【００１３】
２はＬ字状に形成した前面取付金具で、その水平板２ａには、前記載置台５２に設けたアンカーナット５２ｂに螺合するボルト６２を挿通する第１のボルト挿通孔２ａ１を設けており、また、その垂直板２ｂには室外機２０のベース２１の前部に備えるネジ孔２１ｃに螺合するボルト４０を挿通する第２のボルト挿通孔２ｂ１を設けている。
また、図３−（Ｂ）に示すように、この垂直板２ｂにはベース２１より突設される排水受皿２２に対応する切欠部２ｂ２が形成されており、同排水受皿２２により室外機の横方向の移動を防止するようにしている。
【００１４】
以上の構成において、つぎにその取り付け作業手順を説明する。
まず、背面取付金具１の挿通孔１ａ１に載置台５２のアンカーボルト５２ａを挿入し、ナット６１を締結して背面取付金具１を載置台５２に固定する。
つぎに、室外機２０を前記載置台５２に乗せて前記ガイド板１ｄに誘導されるように挿入し、そのベース２１の後部に形成した切欠部２１ｂに、載置台５２に固定した背面取付金具１の上部水平板１ｃが嵌合するように室外機２０を移動する。
このとき、ガイド板１ｄに折曲部１ｄ１が設けてあるので、容易に室外機を所定の位置に挿入することができ、また、上部水平板１ｃには傾斜部１ｃ１が設けてあるので、スムーズに嵌合することができる。
つぎに、前面取付金具２の第２のボルト挿通孔２ｂ１よりボルト４０を挿入し、同ボルト４０をベース２１のねじ孔２１ｃに螺着して前面取付金具２を室外機２０の前面に固定し、最後にボルト６２を第１のボルト挿通孔２ａ１より挿通し、アンカーナット５２ｂに螺合して前面取付金具２を載置台５２に固定することにより、室外機を載置台に固定することができる。
【００１５】
【発明の効果】
以上説明したように、本発明による空気調和機の取付装置によれば、まず、載置台の後部に埋め込まれたアンカーボルトに、略Ｚ字状の背面取付金具をナットで固定し、空気調和機用取付窓から室外機を挿入することにより、同室外機が前記背面取付金具のガイド板に誘導され、前記背面取付金具の上部水平板が室外機のベースの後部に形成される切欠部に嵌合されて位置決めされ、室外機の前面ベースの前部に前面取付金具をボルトで固定し、同前面取付金具を、載置台の前部に埋め込まれたアンカーナットにボルトを螺合して固定することにより、室外機が載置台に固定されるので、後方から手前に向かって順次作業を進めることができ、容易に、確実に、また安全に室外機を載置台に固定することができる。
【図面の簡単な説明】
【図１】従来および本発明による空気調和機の据付けを示す概略図である。
【図２】本発明による空気調和機の取付装置の一実施例を示す側断面図である。
【図３】本発明による空気調和機の取付装置の一実施例を示す要部拡大斜視図で、（Ａ）は背面取付金具、（Ｂ）は前面取付金具を示している。
【図４】従来の空気調和機の取付装置を示す側断面図である。
【符号の説明】
１  背面取付金具
１ａ  下部水平板
１ａ１  挿通孔
１ｂ  垂直板
１ｂ１  排水口
１ｃ  上部水平板
１ｃ１  傾斜部
１ｄ  ガイド板
１ｄ１  折曲部
２  前面取付金具
２ａ  水平板
２ａ１  第１のボルト挿通孔
２ｂ  垂直板
２ｂ１  第２のボルト挿通孔
２ｂ２  切欠部
２０  室外機
２１  ベース
２１ａ  挿通孔
２１ｂ  切欠部
２１ｃ  ネジ孔
２２  排水受皿
４０  ボルト
５２  載置台
５２ａ  アンカーボルト
５２ｂ  アンカーナット
６１  ナット
６２  ボルト
【図１】
0003941192.tif 000002
【図２】
0003941192.tif 000003
【図３】
0003941192.tif 000004
【図４】
0003941192.tif 000005